(57)【要約】【課題】スラスト玉軸受の各接触部分に潤滑剤を十分に供給して、レースや保持器の摩耗及び焼付きを防止することができるスラスト玉軸受を提供する。【解決手段】互いに軸方向で離間して平行配置される上下レース３１，３２と、上下レース３１，３２間に転動自在に配置される複数の玉３３と、複数の玉３３を周方向に略等間隔に保持する保持器３４と、を備え、保持器３４は、板厚方向に貫通して保持器３４の上下面を連通させる潤滑通路３６，３７を備える。【選択図】図３
2014092238.tif 000002
【特許請求の範囲】
【請求項１】
円環状に形成され、互いに軸方向で離間して平行配置される一対のレースと、
前記一対のレース間に転動自在に配置される複数の玉と、
前記一対のレース間に配置され、前記複数の玉を周方向に略等間隔に保持する保持器と、を備えるスラスト玉軸受であって、
前記保持器は、板厚方向に貫通して前記保持器の上下面を連通させる少なくとも１つの潤滑通路を備えることを特徴とするスラスト玉軸受。
【請求項２】
前記潤滑通路は、前記保持器の板厚方向に延びる溝であり、前記保持器の内径面及び外径面の少なくとも一方に形成されることを特徴とする請求項１に記載のスラスト玉軸受。
【請求項３】
前記潤滑通路は、前記保持器の板厚方向に延びる溝であり、前記保持器の前記玉を保持するポケットの内側面に形成されることを特徴とする請求項１に記載のスラスト玉軸受。
【請求項４】
前記潤滑通路は、前記保持器を板厚方向に貫通する貫通穴であることを特徴とする請求項１に記載のスラスト玉軸受。
【請求項５】
前記保持器は、軸方向両端部に面取りをそれぞれ施した内径面、又は、径方向内側に膨出する断面円弧状の内径面を有することを特徴とする請求項１〜４のいずれか１項に記載のスラスト玉軸受。
【請求項６】
前記一対のレースの少なくとも一方に、前記玉と接する転動溝が少なくとも１つ設けられ、
前記転動溝の半径は、前記玉の直径の６０％以上に設定され、
前記転動溝の深さは、６０μｍ以下に設定されることを特徴とする請求項１〜４のいずれか１項に記載のスラスト玉軸受。
【請求項７】
前記スラスト玉軸受の各接触部分を潤滑する潤滑剤は、前記一対のレースのうちの前記玉の上方に配置される上レースと前記保持器との間に供給されることを特徴とする請求項１〜６のいずれか１項に記載のスラスト玉軸受。
【請求項８】
冷凍冷蔵庫又はエアコンに内蔵されるコンプレッサに使用されることを特徴とする請求項１〜７のいずれか１項に記載のスラスト玉軸受。
【発明の詳細な説明】
【技術分野】
【０００１】
本発明は、スラスト玉軸受に関し、より詳細には、冷凍冷蔵庫やエアコンなどの密封型のコンプレッサに使用されるスラスト玉軸受に関する。
【背景技術】
【０００２】
冷凍冷蔵庫やエアコンなどの密封型のコンプレッサは、近年の環境対応にも応えるべく、消費電力の低減化、騒音の防止など高い効率化が求められている。その対策の一環として、コンプレッサのシャフトを回転自在に支承する部分に、スラスト玉軸受が使用される。この部分にスラスト玉軸受が使用されることにより、回転特性が向上してコンプレッサの効率が向上する。
【０００３】
そして、冷凍冷蔵庫やエアコンなどの密封型のコンプレッサに使用される従来のスラスト玉軸受としては、環状に形成され、互いに軸方向で離間して平行配置される一対のレースと、一対のレース間に転動自在に配置される複数の玉と、一対のレース間に配置され、複数の玉を略等間隔に保持する保持器と、を備え、複数の玉をレースの周方向に複列に千鳥配置して高剛性とし軸受の長寿命化を図るもの（例えば、特許文献１参照）や、保持器の内径面がフラット形状に形成されるものが知られている（例えば、特許文献２参照）。
【先行技術文献】
【特許文献】
【０００４】
【特許文献１】特開平０８−３２００１８号公報
【特許文献２】特許第４２６８５１９号公報
【発明の概要】
【発明が解決しようとする課題】
【０００５】
しかしながら、特許文献１に記載のスラスト玉軸受では、上下レースの転動面がフラット形状であるため、玉との接触面積が小さく、高面圧環境となり、上下レースの摩耗が発生しやすかった。また、スラスト玉軸受が冷凍冷蔵庫に内蔵されるコンプレッサに使用される場合、軸受内部の潤滑油に冷媒が混入して、低粘度環境下での運転となるため、油膜が薄くなり、金属接触を起こして、摩耗が発生してしまう可能性があった。
【０００６】
また、特許文献２に記載のスラスト玉軸受では、保持器の内径面がフラット形状であるため、保持器の内径面がシャフトに接触した場合、保持器がシャフトに連れ回されることがある。このため、保持器と複数の玉との相互作用で、複数の玉の正常な自転及び公転が阻害されて、複数の玉と転動面との間に滑りが発生して、レースの早期摩耗や保持器の摩耗が発生する可能性があった。
【０００７】
本発明は、前述した課題に鑑みてなされたものであり、その目的は、スラスト玉軸受の各接触部分に潤滑剤を十分に供給して、レースや保持器の摩耗及び焼付きを防止することができるスラスト玉軸受を提供することにある。
【課題を解決するための手段】
【０００８】
本発明の上記目的は、下記の構成により達成される。
（１）円環状に形成され、互いに軸方向で離間して平行配置される一対のレースと、一対のレース間に転動自在に配置される複数の玉と、一対のレース間に配置され、複数の玉を周方向に略等間隔に保持する保持器と、を備えるスラスト玉軸受であって、保持器は、板厚方向に貫通して保持器の上下面を連通させる少なくとも１つの潤滑通路を備えることを特徴とするスラスト玉軸受。
（２）潤滑通路は、保持器の板厚方向に延びる溝であり、保持器の内径面及び外径面の少なくとも一方に形成されることを特徴とする（１）に記載のスラスト玉軸受。
（３）潤滑通路は、保持器の板厚方向に延びる溝であり、保持器の玉を保持するポケットの内側面に形成されることを特徴とする（１）に記載のスラスト玉軸受。
（４）潤滑通路は、保持器を板厚方向に貫通する貫通穴であることを特徴とする（１）に記載のスラスト玉軸受。
（５）保持器は、軸方向両端部に面取りをそれぞれ施した内径面、又は、径方向内側に膨出する断面円弧状の内径面を有することを特徴とする（１）〜（４）のいずれか１つに記載のスラスト玉軸受。
（６）一対のレースの少なくとも一方に、玉と接する転動溝が少なくとも１つ設けられ、転動溝の半径は、玉の直径の６０％以上に設定され、転動溝の深さは、６０μｍ以下に設定されることを特徴とする（１）〜（４）のいずれか１つに記載のスラスト玉軸受。
（７）スラスト玉軸受の各接触部分を潤滑する潤滑剤は、一対のレースのうちの玉の上方に配置される上レースと保持器との間に供給されることを特徴とする（１）〜（６）のいずれか１つに記載のスラスト玉軸受。
（８）冷凍冷蔵庫又はエアコンに内蔵されるコンプレッサに使用されることを特徴とする（１）〜（７）のいずれか１つに記載のスラスト玉軸受。
【発明の効果】
【０００９】
本発明のスラスト玉軸受によれば、保持器が板厚方向に貫通して保持器の上下面を連通させる少なくとも１つの潤滑通路を備えるため、上レースと保持器との間に供給された潤滑剤を、スラスト玉軸受の各接触部分に十分に供給することができる。これにより、レースや保持器の摩耗及び焼付きを防止することができるので、スラスト玉軸受の長寿命化を図ることができる。
【図面の簡単な説明】
【００１０】
【図１】本発明に係るスラスト玉軸受の第１実施形態が使用されたコンプレッサの断面図である。
【図２】図１に示すスラスト玉軸受を説明する拡大断面図である。
【図３】（ａ）は図２に示す保持器の平面図、（ｂ）は図３（ａ）のＡ−Ａ線断面図である。
【図４】本発明に係るスラスト玉軸受の第２実施形態を説明する図であり、（ａ）は保持器の平面図、（ｂ）は図４（ａ）のＢ−Ｂ線断面図である。
【図５】本発明に係るスラスト玉軸受の第３実施形態を説明するための保持器の平面図である。
【図６】本発明に係るスラスト玉軸受の第４実施形態を説明するための保持器の平面図である。
【図７】本発明に係るスラスト玉軸受の第５実施形態を説明する拡大断面図である。
【図８】本発明に係るスラスト玉軸受の第６実施形態を説明する拡大断面図である。
【図９】本発明に係るスラスト玉軸受の第７実施形態を説明する拡大断面図である。
【発明を実施するための形態】
【００１１】
以下、本発明に係るスラスト玉軸受の各実施形態が使用されたコンプレッサについて、図面に基づいて詳細に説明する。
【００１２】
（第１実施形態）
まず、図１〜図３を参照して、本発明に係るスラスト玉軸受の第１実施形態が使用されたコンプレッサについて説明する。
【００１３】
本実施形態のコンプレッサ１０は、図１に示すように、密閉容器１１を有し、その内部に駆動系などが配置される構造である。密閉容器１１の内部には、固定子１２及び回転子１３を有する回転駆動部１４、回転駆動部１４の動作により圧縮又は膨張する冷媒（例えば、冷媒ガスなど）などが設けられている。なお、コンプレッサ１０は、冷凍冷蔵庫やエアコンなどに内蔵されている。
【００１４】
回転子１３は、圧入により一体化された状態でシャフト１５に連結される。シャフト１５は、回転子１３が固定される主軸部１６と、主軸部１６の上端部に形成される鍔部１７と、鍔部１７の上面に形成され、主軸部１６に対し偏心して配置される偏心軸部１８と、を有する。
【００１５】
シャフト１５の上部片側位置には、シリンダブロック２０が設けられる。シリンダブロック２０は、略円筒形の圧縮室２１を有する。この圧縮室２１にピストン２２が往復自在に嵌挿される。また、ピストン２２は、偏心軸部１８との間を連結部材２３により連結されている。
【００１６】
そして、シャフト１５の主軸部１６は、主軸受１９に対して上下方向に沿って挿通されている。また、シャフト１５の鍔部１７の下面と主軸受１９の上面との間にはスラスト玉軸受３０が配置されている。これらにより、シャフト１５が回転自在に支承されると共に、シャフト１５と回転子１３の重力方向の荷重（自重）が支持される。
【００１７】
スラスト玉軸受３０は、図２に示すように、円環状に形成され、互いに軸方向で離間して平行配置される上下一対の上下レース３１，３２と、上下レース３１，３２間に転動自在に配置される複数の玉３３と、上下レース３１，３２間に配置され、複数の玉３３を周方向に略等間隔に保持する保持器３４と、を備え、主軸部１６に遊嵌されている。なお、本実施形態では、上下レース３１，３２及び複数の玉３３は金属製である。
【００１８】
上下レース３１，３２は、円環状の平板でそれぞれ形成されており、上下レース３１，３２の複数の玉３３と接する転動面３１ａ，３２ａは、フラット形状に形成されている。上下レース３１，３２及び複数の玉３３には、窒化処理による表面硬化層を形成してもよい。なお、窒化処理は、上下レース３１，３２及び複数の玉３３の表面を、例えば、ベンジンで洗浄し、その後、窒素化合物などと熱反応処理させて、その表面に化合物反応膜を形成することにより行なわれる。
【００１９】
保持器３４は、図３に示すように、周方向に略等間隔で形成され、玉３３を転動可能に保持する複数のポケット３５と、保持器３４の内径面４１に周方向に略等間隔で形成される複数の内周溝（潤滑通路）３６と、保持器３４の外径面４２に周方向に略等間隔で形成される複数の外周溝（潤滑通路）３７と、を有する。
【００２０】
内周溝３６及び外周溝３７は、保持器３４の板厚方向に延びる溝であり、保持器３４を板厚方向に貫通して保持器３４の上下面を連通させる潤滑通路を構成する。また、内周溝３６及び外周溝３７は、周方向に隣り合うポケット３５間にそれぞれ形成されている。なお、内周溝３６及び外周溝３７の設置数、設置位置、及び形状は任意である。また、内周溝３６及び外周溝３７は、いずれか一方設けられていればよい。
【００２１】
また、図２に示すように、主軸部１６には、潤滑油（潤滑剤）を送る油路２４が形成されており、この油路２４は、スラスト玉軸受３０の上レース３１と保持器３４との間に向けて開口する開口部２５を有している。そして、油路２４の開口部２５から吐出された潤滑油は、スラスト玉軸受３０の上レース３１と保持器３４との間に供給され、上レース３１と複数の玉３３の接触部分を潤滑した後、ポケット３５と玉３３の接触部分を潤滑しつつ、ポケット３５、内周溝３６、及び外周溝３７を介して下方に流れ、下レース３２と複数の玉３３の接触部分を潤滑する。
【００２２】
そして、内周溝３６及び外周溝３７を備えない従来のスラスト玉軸受の場合、ポケット３５と玉３３の隙間、及び保持器３４と主軸部１６の隙間が小さく、潤滑油の流動抵抗が大きいため、下レース３２と複数の玉３３の接触部分の潤滑が不十分になる可能性がある。しかし、本実施形態のスラスト玉軸受３０では、上レース３１と保持器３４との間に供給された潤滑油が、流動抵抗の小さな内周溝３６及び外周溝３７を通って下レース３２側に供給されて、下レース３２と複数の玉３３の接触部分を確実に潤滑することができる。これにより、上下レース３１，３２や保持器３４の摩耗及び焼付きが防止される。
【００２３】
以上説明したように、本実施形態のスラスト玉軸受３０によれば、保持器３４の内径面４１及び外径面４２に、保持器３４の板厚方向に貫通して保持器３４の上下面を連通させる複数の内周溝３６及び複数の外周溝３７がそれぞれ形成されるため、上レース３１と保持器３４との間に供給された潤滑剤を、スラスト玉軸受３０の各接触部分に十分に供給することができる。これにより、上下レース３１，３２や保持器３４の摩耗及び焼付きを防止することができるので、スラスト玉軸受３０の長寿命化を図ることができる。
【００２４】
（第２実施形態）
次に、図４を参照して、本発明に係るスラスト玉軸受の第２実施形態について説明する。なお、第１実施形態と同一又は同等部分については、図面に同一符号を付してその説明を省略或いは簡略化する。
【００２５】
本実施形態の保持器３４では、図４に示すように、上記第１実施形態の内周溝３６及び外周溝３７を削除して、ポケット３５の内側面に沿って保持器３４の板厚方向に延びる潤滑溝３８を形成している。この潤滑溝３８は、保持器３４を板厚方向に貫通して保持器３４の上下面を連通させる潤滑通路を構成する。また、潤滑溝３８は、玉３３と潤滑溝３８との接触を避けるために保持器３４の径方向に沿って設けられる。なお、潤滑溝３８の設置数、設置位置、及び形状は任意である。
【００２６】
そして、本実施形態では、スラスト玉軸受３０の上レース３１と保持器３４との間に供給された潤滑油は、上レース３１と複数の玉３３の接触部分を潤滑した後、ポケット３５と玉３３の接触部分を潤滑しつつ、ポケット３５及び潤滑溝３８を介して下方に流れ、下レース３２と複数の玉３３の接触部分を潤滑する。
【００２７】
以上説明したように、本実施形態のスラスト玉軸受３０によれば、保持器３４のポケット３５の内側面に、保持器３４の板厚方向に貫通して保持器３４の上下面を連通させる潤滑溝３８が形成されるため、上レース３１と保持器３４との間に供給された潤滑剤を、スラスト玉軸受３０の各接触部分に十分に供給することができる。これにより、上下レース３１，３２や保持器３４の摩耗及び焼付きを防止することができるので、スラスト玉軸受３０の長寿命化を図ることができる。また、潤滑溝３８が下レース３２と玉３３の接触部分の近傍にあるので、下レース３２と玉３３の接触部分を効率よく潤滑することができる。また、潤滑溝３８がポケット３５の内側面に形成されるので、ポケット３５と玉３３の接触部分を効率よく潤滑することができる。
その他の構成及び作用効果については、上記第１実施形態と同様である。
【００２８】
（第３実施形態）
次に、図５を参照して、本発明に係るスラスト玉軸受の第３実施形態について説明する。なお、第１実施形態と同一又は同等部分については、図面に同一符号を付してその説明を省略或いは簡略化する。
【００２９】
本実施形態の保持器３４では、図５に示すように、上記第１実施形態の内周溝３６及び外周溝３７を削除して、保持器３４の周方向に隣り合うポケット３５間に一対の貫通穴３９をそれぞれ形成している。この貫通穴３９は、保持器３４を板厚方向に貫通して保持器３４の上下面を連通させる潤滑通路を構成する。なお、貫通穴３９の設置数、設置位置、及び形状は任意である。
【００３０】
そして、本実施形態では、スラスト玉軸受３０の上レース３１と保持器３４との間に供給された潤滑油は、上レース３１と複数の玉３３の接触部分を潤滑した後、貫通穴３９を介して下方に流れ、下レース３２と複数の玉３３の接触部分を潤滑する。
【００３１】
以上説明したように、本実施形態のスラスト玉軸受３０によれば、保持器３４に板厚方向に貫通する貫通穴３９が形成されるため、上レース３１と保持器３４との間に供給された潤滑剤を、スラスト玉軸受３０の各接触部分に十分に供給することができる。これにより、上下レース３１，３２や保持器３４の摩耗及び焼付きを防止することができるので、スラスト玉軸受３０の長寿命化を図ることができる。
その他の構成及び作用効果については、上記第１実施形態と同様である。
【００３２】
（第４実施形態）
次に、図６を参照して、本発明に係るスラスト玉軸受の第４実施形態について説明する。なお、第１実施形態と同一又は同等部分については、図面に同一符号を付してその説明を省略或いは簡略化する。
【００３３】
本実施形態の保持器３４では、図６に示すように、保持器３４の内径面４１及び外径面４２に上記第１実施形態の内周溝３６及び外周溝３７をそれぞれ形成すると共に、保持器３４の各ポケット３５に上記第２実施形態の潤滑溝３８をそれぞれ形成している。
【００３４】
本実施形態では、スラスト玉軸受３０の上レース３１と保持器３４との間に供給された潤滑油は、上レース３１と複数の玉３３の接触部分を潤滑した後、ポケット３５と玉３３の接触部分を潤滑しつつ、ポケット３５、内周溝３６、外周溝３７、及び潤滑溝３８を介して下方に流れ、下レース３２と複数の玉３３の接触部分を潤滑する。
【００３５】
以上説明したように、本実施形態のスラスト玉軸受３０によれば、保持器３４の内径面４１及び外径面４２に、保持器３４の板厚方向に貫通して保持器３４の上下面を連通させる複数の内周溝３６及び複数の外周溝３７がそれぞれ形成されると共に、保持器３４の各ポケット３５の内側面に、保持器３４の板厚方向に貫通して保持器３４の上下面を連通させる潤滑溝３８がそれぞれ形成されるため、上レース３１と保持器３４との間に供給された潤滑剤を、スラスト玉軸受３０の各接触部分に十分に供給することができる。これにより、上下レース３１，３２や保持器３４の摩耗及び焼付きを防止することができるので、スラスト玉軸受３０の長寿命化を図ることができる。
その他の構成及び作用効果については、上記第１実施形態と同様である。
【００３６】
（第５実施形態）
次に、図７を参照して、本発明に係るスラスト玉軸受の第５実施形態について説明する。なお、第１実施形態と同一又は同等部分については、図面に同一符号を付してその説明を省略或いは簡略化する。
【００３７】
本実施形態では、図７に示すように、保持器３４の内径面４１及び外径面４２に上記第１実施形態の内周溝３６及び外周溝３７をそれぞれ形成すると共に、保持器３４の内径面４１の軸方向両端部に円弧状の面取り４１ａをそれぞれ施している。
【００３８】
そして、片側の面取り４１ａの軸方向幅Ｌ１は、保持器の軸方向幅Ｌ２に対して、３０％〜４５％に設定されている。具体的には、例えば、Ｌ１＝０．７ｍｍ〜１．０３ｍｍ、Ｌ２＝２．３ｍｍで、Ｌ１／Ｌ２×１００＝３０％〜４５％に設定されている。なお、本実施形態では、面取り４１ａは、円弧状の面取りでなく、直線状の面取りであってもよい。
【００３９】
以上説明したように、本実施形態のスラスト玉軸受３０によれば、保持器３４が軸方向両端部に面取り４１ａをそれぞれ施した内径面４１を有するため、シャフト１５に接触する保持器３４の内径面４１の面積を小さくすることができる。これにより、内周溝３６及び外周溝３７による潤滑性能向上効果に加えて、保持器３４がシャフト１５に接触したとしても、保持器３４の連れ回りを抑制することができるので、保持器３４の連れ回りに起因する上下レース３１，３２の早期摩耗や保持器３４の摩耗を抑制することができる。
その他の構成及び作用効果については、上記第１実施形態と同様である。
【００４０】
（第６実施形態）
次に、図８を参照して、本発明に係るスラスト玉軸受の第６実施形態について説明する。なお、第１実施形態と同一又は同等部分については、図面に同一符号を付してその説明を省略或いは簡略化する。
【００４１】
本実施形態では、図８に示すように、保持器３４の内径面４１及び外径面４２に上記第１実施形態の内周溝３６及び外周溝３７をそれぞれ形成すると共に、保持器３４の内径面４１を径方向内側に膨出する断面円弧状に形成している。
【００４２】
そして、内径面４１の円弧の曲率半径Ｒ１は、保持器３４の軸方向幅Ｌ２に対して、５０％以上１００％未満に設定されている。また、より好ましくは、内径面４１の円弧の曲率半径Ｒ１は、保持器３４の軸方向幅Ｌ２に対して、５０％〜７６％に設定されている。具体的には、例えば、Ｒ１＝１．１５ｍｍ、１．４５ｍｍ、１．７５ｍｍ、Ｌ２＝２．３ｍｍで、Ｒ１／Ｌ２×１００＝５０％、６３％、７６％にそれぞれ設定されている。
【００４３】
以上説明したように、本実施形態のスラスト玉軸受３０によれば、保持器３４が径方向内側に膨出する断面円弧状の内径面４１を有するため、シャフト１５に接触する保持器３４の内径面４１の面積を小さくすることができる。これにより、内周溝３６及び外周溝３７による潤滑性能向上効果に加えて、保持器３４がシャフト１５に接触したとしても、保持器３４の連れ回りを抑制することができるので、保持器３４の連れ回りに起因する上下レース３１，３２の早期摩耗や保持器３４の摩耗を抑制することができる。
その他の構成及び作用効果については、上記第１実施形態と同様である。
【００４４】
（第７実施形態）
次に、図９を参照して、本発明に係るスラスト玉軸受の第７実施形態について説明する。なお、第１実施形態と同一又は同等部分については、図面に同一符号を付してその説明を省略或いは簡略化する。
【００４５】
本実施形態では、図９に示すように、保持器３４の内径面４１及び外径面４２に上記第１実施形態の内周溝３６及び外周溝３７をそれぞれ形成すると共に、上下レース３１，３２の玉３３と接する面に、転動溝３１ｂ，３２ｂをそれぞれ形成している。
【００４６】
そして、転動溝３１ｂ，３２ｂの半径（曲率）Ｒ２は玉３３の直径Ｄの６０％以上に設定されると共に、転動溝３１ｂ，３２ｂの深さＨは６０μｍ以下に設定されている。また、転動溝３１ｂ，３２ｂは、上下レース３１，３２がプレス加工されるときに同時に形成される。
【００４７】
以上説明したように、本実施形態のスラスト玉軸受３０によれば、上下レース３１，３２に、玉３３と接する転動溝３１ｂ，３２ｂがそれぞれ形成され、転動溝３１ｂ，３２ｂの半径Ｒ２が玉３３の直径Ｄの６０％以上に設定され、転動溝３１ｂ，３２ｂの深さＨが６０μｍ以下に設定されるため、玉３３の転動位置が転動溝３１ｂ，３２ｂによって規制され、玉３３に案内される保持器３４がシャフト１５に接触するのを防止することができる。これにより、内周溝３６及び外周溝３７による潤滑性能向上効果に加えて、玉３３とレース３１，３２との間の滑りを防止して、レース３１，３２の摩耗を防止することができるので、スラスト玉軸受３０の長寿命化を図ることができる。
その他の構成及び作用効果については、上記第１実施形態と同様である。
【００４８】
なお、本発明は、上記各実施形態に例示したものに限定されるものではなく、本発明の要旨を逸脱しない範囲において適宜変更可能である。
【符号の説明】
【００４９】
１０    コンプレッサ
３０    スラスト玉軸受
３１    上レース（レース）
３１ａ  転動面
３１ｂ  転動溝
３２    下レース（レース）
３２ａ  転動面
３２ｂ  転動溝
３３    玉
３４    保持器
３５    ポケット
３６    内周溝（潤滑通路）
３７    外周溝（潤滑通路）
３８    潤滑溝（潤滑通路）
３９    貫通穴（潤滑通路）
４１    内径面
４１ａ  面取り
４２    外径面
Ｒ２    転動溝の半径
Ｄ    玉の直径
Ｈ    転動溝の深さ
【図１】
2014092238.tif 000003
【図２】
2014092238.tif 000004
【図３】
2014092238.tif 000005
【図４】
2014092238.tif 000006
【図５】
2014092238.tif 000007
【図６】
2014092238.tif 000008
【図７】
2014092238.tif 000009
【図８】
2014092238.tif 000010
【図９】
2014092238.tif 000011